(57)【要約】【課題】処理効率を向上することが可能な定期券発行機及び定期券発行方法を提供することを目的とする。【解決手段】入力手段を介してユーザの習熟度を識別する識別情報の入力を受け付け、前記入力手段により入力された識別情報に基づいて習熟度を識別し、識別した習熟度に応じて、定期券を発行するのに必要な複数の設定項目を設定するための操作画面を異なる形態で表示手段に表示させる、ことを特徴とする定期券発行機及び定期券発行方法。【選択図】      図３
2011002936.tif 000002
【特許請求の範囲】
【請求項１】
定期券を発行するのに必要な操作画面を表示する表示手段と、
ユーザの習熟度を識別する識別情報の入力を受け付ける入力手段と、
前記入力手段により入力された識別情報に基づいて習熟度を識別し、習熟度に応じて、定期券を発行するのに必要な複数の設定項目を設定するための操作画面を異なる形態で前記表示手段に表示させる制御手段と、
を備えたことを特徴とする定期券発行機。
【請求項２】
習熟度が高いほど、前記表示手段に表示させる操作画面の数が少ないことを特徴とする請求項１に記載の定期券発行機。
【請求項３】
習熟度が高いほど、前記表示手段に表示させた単一の操作画面上で設定される設定項目の数が多いことを特徴とする請求項１に記載の定期券発行機。
【請求項４】
習熟度が第１習熟度である場合、及び、第１習熟度よりも低い第２習熟度である場合に、設定される設定項目の数は同数であることを特徴とする請求項２または３に記載の定期券発行機。
【請求項５】
ユーザの習熟度を識別するための識別情報を記憶する記憶手段と、
定期券を発行するのに必要な操作画面を表示する表示手段と、
識別情報の入力を受け付ける入力手段と、
前記入力手段により入力された識別情報に基づき、前記記憶手段から習熟度を取得し、習熟度に応じて、定期券を発行するのに必要な複数の設定項目を設定するための操作画面を異なる形態で前記表示手段に表示させる制御手段と、
を備えたことを特徴とする定期券発行機。
【請求項６】
前記制御手段が第１習熟度を取得した場合に前記表示手段に表示させる操作画面の数は、前記制御手段が第１習熟度よりも低い第２習熟度を取得した場合に前記表示手段に表示させる操作画面の数よりも少ないことを特徴とする請求項５に記載の定期券発行機。
【請求項７】
前記制御手段が第１習熟度を取得した場合に前記表示手段に表示させた単一の操作画面上で設定される設定項目の数は、前記制御手段が第１習熟度よりも低い第２習熟度を取得した場合に前記表示手段に表示させた単一の操作画面上で設定される設定項目の数よりも多いことを特徴とする請求項５に記載の定期券発行機。
【請求項８】
前記制御手段が第１習熟度を取得した場合に設定される設定項目の数は、前記制御手段が第２習熟度を取得した場合に設定される設定項目の数と同数であることを特徴とする請求項６または７に記載の定期券発行機。
【請求項９】
ユーザの習熟度を識別するための識別情報を記憶する記憶手段と、
定期券を発行するのに必要な操作画面を表示する表示手段と、
識別情報の入力を受け付ける入力手段と、
前記入力手段により入力された識別情報に基づき、前記記憶手段から習熟度を取得し、第１習熟度を取得した場合に定期券を発行するのに必要な第１設定項目及び第２設定項目を設定するための単一の操作画面を前記表示手段に表示させ、第１習熟度よりも低い第２習熟度を取得した場合に第１設定項目を設定するための第１操作画面及び第２設定項目を設定するための第２操作画面を異なるタイミングで前記表示手段に表示させる制御手段と、
を備えたことを特徴とする定期券発行機。
【請求項１０】
入力手段を介してユーザの習熟度を識別する識別情報の入力を受け付け、
前記入力手段により入力された識別情報に基づいて習熟度を識別し、
識別した習熟度に応じて、定期券を発行するのに必要な複数の設定項目を設定するための操作画面を異なる形態で表示手段に表示させる、
ことを特徴とする定期券発行方法。
【発明の詳細な説明】
【技術分野】
【０００１】
この発明は、定期券発行機及び定期券発行方法に関する。
【背景技術】
【０００２】
近年、磁気式の券媒体のほかに、無線通信が可能な券媒体（ＩＣチップを内蔵したＩＣカードや携帯端末機器などを含む）からなる定期券を発行する定期券発行機が実用化されている。
【０００３】
このような定期券発行機において、定期券を発行するに必要な設定項目は、発駅、着駅、経由地、定期期間、通勤／通学区分、定期券利用者の個人情報など、多岐に亘る。このため、定期券を発行するためには、定期券発行機の操作画面上において、各種設定項目を適切に設定することが要求される。
【０００４】
一方で、定期券発行機を操作するユーザ（つまり駅係員）の全てが必ずしも駅務に精通しているとは限らない。特に、近年の雇用形態の多様化により、操作に慣れた熟練者（高習熟度のユーザ）もいれば、操作に不慣れな初心者（低習熟度のユーザ）もいるため、ユーザの習熟度に応じて処理効率の差が生じてしまう。
【０００５】
駅務とは無関係であるが、例えば、特許文献１によれば、ユーザによる少なくとも２つの操作の時間間隔や、所定時間内におけるユーザの操作回数などに基づいて、ユーザの操作習熟度を算出し、算出した操作習熟度に応じて指示部によって指示される操作をサポートする操作サポート部を備えた画像処理装置及び画像処理装置の操作サポート方法が開示されている。
【先行技術文献】
【特許文献】
【０００６】
【特許文献１】特開２００８−２０４４４３号公報
【発明の概要】
【発明が解決しようとする課題】
【０００７】
この発明の目的は、処理効率を向上することが可能な定期券発行機及び定期券発行方法を提供することにある。
【課題を解決するための手段】
【０００８】
この発明の態様による定期券発行機は、
定期券を発行するのに必要な操作画面を表示する表示手段と、
ユーザの習熟度を識別する識別情報の入力を受け付ける入力手段と、
前記入力手段により入力された識別情報に基づいて習熟度を識別し、習熟度に応じて、定期券を発行するのに必要な複数の設定項目を設定するための操作画面を異なる形態で前記表示手段に表示させる制御手段と、
を備えたことを特徴とする。
【０００９】
また、この発明の態様による定期券発行機は、
ユーザの習熟度を識別するための識別情報を記憶する記憶手段と、
定期券を発行するのに必要な操作画面を表示する表示手段と、
識別情報の入力を受け付ける入力手段と、
前記入力手段により入力された識別情報に基づき、前記記憶手段から習熟度を取得し、習熟度に応じて、定期券を発行するのに必要な複数の設定項目を設定するための操作画面を異なる形態で前記表示手段に表示させる制御手段と、
を備えたことを特徴とする。
【００１０】
さらに、この発明の態様による定期券発行機は、
ユーザの習熟度を識別するための識別情報を記憶する記憶手段と、
定期券を発行するのに必要な操作画面を表示する表示手段と、
識別情報の入力を受け付ける入力手段と、
前記入力手段により入力された識別情報に基づき、前記記憶手段から習熟度を取得し、第１習熟度を取得した場合に定期券を発行するのに必要な第１設定項目及び第２設定項目を設定するための単一の操作画面を前記表示手段に表示させ、第１習熟度よりも低い第２習熟度を取得した場合に第１設定項目を設定するための第１操作画面及び第２設定項目を設定するための第２操作画面を異なるタイミングで前記表示手段に表示させる制御手段と、
を備えたことを特徴とする。
【００１１】
この発明の他の態様による定期券発行方法は、
入力手段を介してユーザの習熟度を識別する識別情報の入力を受け付け、
前記入力手段により入力された識別情報に基づいて習熟度を識別し、
識別した習熟度に応じて、定期券を発行するのに必要な複数の設定項目を設定するための操作画面を異なる形態で表示手段に表示させる、
ことを特徴とする。
【発明の効果】
【００１２】
この発明によれば、処理効率を向上することが可能な定期券発行機及び定期券発行方法を提供することができる。
【図面の簡単な説明】
【００１３】
【図１】図１は、この発明の一実施の形態に係る定期券発行機の構成を概略的に示す図である。
【図２】図２は、図１に示した定期券発行機に適用可能な習熟度登録画面の一例を示す図である。
【図３】図３は、図１に示した定期券発行機に適用可能な定期券発行方法を説明するためのフローチャートである。
【図４】図４は、図１に示した定期券発行機に適用可能な定期券発行方法において、定期券発行業務を開始するための操作画面の一例を示す図である。
【図５】図５は、図１に示した定期券発行機に適用可能な定期券発行方法において、第１動作モードにおける第１乃至第３操作画面の一例を示す図である。
【図６】図６は、図１に示した定期券発行機に適用可能な定期券発行方法において、第１動作モードにおける第４乃至第６操作画面の一例を示す図である。
【図７】図７は、図１に示した定期券発行機に適用可能な定期券発行方法において、第１動作モードにおいてエラーが発生した場合の操作画面の一例を示す図である。
【図８】図８は、図１に示した定期券発行機に適用可能な定期券発行方法において、第３動作モードにおける操作画面の一例を示す図である。
【発明を実施するための形態】
【００１４】
以下、この発明の一実施の形態に係る定期券発行機及び定期券発行方法について図面を参照して説明する。
【００１５】
図１に示すように、定期券発行機１は、制御手段として機能するとともに装置全体の制御を司るＣＰＵ１０を備えている。このＣＰＵ１０には、記憶手段として機能するメモリ部１１、表示手段として機能する表示部１２、入力手段あるいは登録手段として機能する入力部１３、条件設定部１４、定期券発行部１５、通信制御部１６などが接続されている。
【００１６】
メモリ部１１は、ＲＯＭ（Ｒｅａｄ  Ｏｎｌｙ  Ｍｅｍｏｒｙ）や、ＲＡＭ（Ｒａｎｄｏｍ  Ａｃｃｅｓｓ  Ｍｅｍｏｒｙ）などを含んでいる。このメモリ部１１は、定期券発行機１の制御に必要な各種制御プログラムなどを記憶している。メモリ部１１に記憶された制御プログラムには、定期券発行機１を操作するユーザつまり駅係員の習熟度を識別するための習熟度識別情報を登録するためのアプリケーションや、定期券を発行するためのアプリケーションなどが含まれる。
【００１７】
また、このメモリ部１１には、登録された習熟度識別情報が記憶されている。この習熟度識別情報には、ユーザを特定するための固有のユーザＩＤ、このユーザＩＤに関連付けされた習熟度の区分、ユーザパスワードなどが含まれる。
【００１８】
表示部１２は、定期券発行機１の動作状態、種々の案内画面などを表示するものである。また、この表示部１２は、起動したアプリケーションに応じた画面、例えば、習熟度識別情報を登録するのに必要な操作画面や、定期券を発行するのに必要な操作画面などを表示するものである。
【００１９】
入力部１３は、起動したアプリケーションに応じて、各種情報の入力、特に、習熟度識別情報の登録や習熟度識別情報の入力を受け付けるものであり、キーボードや各種ボタンの他に、接触を検知したのに基づいて対応する情報を出力するタッチパネルなどによって構成されている。
【００２０】
条件設定部１４は、定期券を発行するのに必要な各種設定項目の設定を受け付けるものであり、キーボードや各種ボタンの他に、タッチパネルなどで構成されている。この条件設定部１４では、発駅、着駅、経由地、定期期間、通勤／通学区分、割引種別、定期券利用者の個人情報などの設定項目を設定可能である。なお、この条件設定部１４は、表示部１２や入力部１３の一部であっても良い。
【００２１】
定期券発行部１５は、条件設定部１４によって設定された設定項目にしたがって定期券を発行するものであり、磁気式の定期券を発行するための磁気処理ユニットや、無線式の定期券を発行するための無線通信処理ユニットなどを備えて構成されている。
【００２２】
通信制御部１６は、ＣＰＵ１０の制御に基づき、定期券発行機１より上位の機器、例えばホストコンピュータなどとの間で情報通信を行うものである。
【００２３】
次に、ユーザの習熟度の登録するための方法について説明する。
【００２４】
定期券発行機１において、ＣＰＵ１０は、習熟度識別情報を登録するためのアプリケーションを起動させると、表示部１２にユーザの習熟度を登録するための操作画面を表示させる。図２は、表示部１２に表示される習熟度登録画面の一例を示している。ここに示した例では、処理区分、ユーザＩＤ、ユーザ氏名、ユーザパスワード、習熟度の区分がそれぞれ表示され、各項目について、入力部１３を介して入力可能である。
【００２５】
処理区分としては、『１：登録』、『２：削除』、『９：終了』の各処理を選択することが可能である。ＣＰＵ１０は、各処理に対応付けられた識別コード（ここでは『１』、『２』、または、『９』のいずれかの数字）が入力部１３を介して入力されたのに基づいて、各処理の操作を受付可能とする。図２では、『１：登録』の処理が選択された状態を示している。
【００２６】
習熟度の区分としては、『１：初心者』、『２：通常』、『３：熟練者』の各習熟度の区分を選択することが可能である。ＣＰＵ１０は、各習熟度の区分に対応付けられた識別コード（ここでは『１』、『２』、または、『３』のいずれかの数字）が入力部１３を介して入力されたのに基づいて、対応する習熟度の区分の選択を受け付ける。図２では、『１：初心者』が選択された状態を示している。
【００２７】
ＣＰＵ１０は、入力部１３を介した各項目の入力に応じて、表示部１２に入力内容を確認するための確認画面を表示する。ＣＰＵ１０は、入力部１３を介した登録内容確認済みの指示を受け付けると、入力された内容をユーザの習熟度を識別するための習熟度識別情報として、メモリ部１１に記憶する登録処理を行う。
【００２８】
なお、上述した登録処理は、ユーザ本人が行う（自己申告）場合に限らず、ユーザの上長や管理者などのユーザとは別人が行っても良い。また、１度の登録処理において、複数のユーザの習熟度を一括して登録することも可能である。
【００２９】
次に、ユーザの習熟度に応じた定期券発行方法について図３に示したフローチャートを参照しながら説明する。
【００３０】
定期券発行機１において、ＣＰＵ１０は、定期券を発行するためのアプリケーションを起動させると（ＳＴ１１）、表示部１２に定期券発行業務を開始するための操作画面Ｓ０を表示させる（ＳＴ１２）。そして、ＣＰＵ１０は、この操作画面Ｓ０において、入力部１３を介した習熟度識別情報の入力を受け付ける（ＳＴ１３）。
【００３１】
図４は、表示部１２に表示される操作画面Ｓ０である業務開始画面の一例を示している。ここに示した例では、ＣＰＵ１０は、習熟度識別情報として、ユーザＩＤ、及び、ユーザパスワードの少なくとも一方について、入力部１３を介した入力を受け付けている。
【００３２】
ＣＰＵ１０は、入力部１３を介して入力された習熟度識別情報に基づいて（ＳＴ１３、ＹＥＳ）、メモリ部１１に登録されているユーザの習熟度を取得する（ＳＴ１４）。ＣＰＵ１０は、ユーザの習熟度を取得して習熟度を識別することにより、習熟度に応じて異なる動作モードを実行する。このとき、ＣＰＵ１０は、定期券を発行するのに必要は複数の設定項目を設定するための操作画面を、習熟度に応じて異なる形態で表示部１２に表示させる。
【００３３】
例えば、定期券を発行するための動作モードとして、ＣＰＵ１０は、取得したユーザの習熟度の区分が『初心者』であると判断した場合には（ＳＴ１５、ＹＥＳ）、第１動作モードを実行する（ＳＴ１６）。また、ＣＰＵ１０は、取得したユーザの習熟度の区分が『通常』であると判断した場合には（ＳＴ１５、ＮＯ、ＳＴ１７、ＹＥＳ）、第２動作モードを実行する（ＳＴ１８）。さらに、ＣＰＵ１０は、取得したユーザの習熟度の区分が『熟練者』である場合には（ＳＴ１７、ＮＯ、ステップ１９、ＹＥＳ）、第３動作モードを実行する（ＳＴ２０）。なお、ＣＰＵ１０は、ユーザの習熟度を取得できなかった場合には（ＳＴ１９、ＮＯ）、処理を終了する。あるいは、ＣＰＵ１０は、再度ステップＳＴ１２に戻り、識別情報の入力を受け付けても良い。
【００３４】
ＣＰＵ１０が表示部１２に表示させる操作画面の数は、習熟度が高いほど少ない。例えば、第１動作モードを実行した際に表示部１２に表示させる操作画面数は、第３モードを実行した際に表示部１２に表示させる操作画面数よりも多い。特に、各動作モードのうち、第１動作モードを実行した際の操作画面数が最も多く、第３動作モードを実行した際の操作画面数が最も少ない。当然のことながら、第１動作モードを実行した際の各操作画面は、異なるタイミングで表示される。なお、第２動作モードを実行した場合に表示部１２に表示させる操作画面数は、第１動作モードでの操作画面数と第３動作モードでの操作画面数との間程度である。
【００３５】
また、ＣＰＵ１０が表示部１２に表示させる単一の操作画面上で設定される設定項目の数は、習熟度が高いほど多い。例えば、第１動作モードを実行した際に表示部１２に表示した単一の操作画面上での設定項目の数は、第３動作モードを実行した際に表示部１２に表示した単一の操作画面上での設定項目の数よりも少ない。特に、各動作モードのうち、第１動作モードを実行した際の単一の操作画面上での設定項目の数が最も少なく、第３動作モードを実行した際の単一の操作画面上での設定項目の数が最も多い。なお、第２動作モードを実行した場合に単一の操作画面上での設定項目の数は、第１動作モードでの設定項目数と第３動作モードでの設定項目数との間程度であり、一部の設定項目を設定する操作画面は第１動作モードと共通であっても良い。
【００３６】
なお、いずれの動作モードを実行した場合であっても、定期券を発行にするのに必要な設定項目の数は同数である。つまり、習熟度に関わらず、設定される設定項目の数は同数である。設定項目としては、発駅、着駅、経由地、定期期間、通勤／通学区分、割引種別、定期券利用者の個人情報などが挙げられる。
【００３７】
ＣＰＵ６０は、各動作モードにおいて、設定された各種設定項目の確認完了の指示に基づき（ＳＴ２１、ＹＥＳ）、定期券発行部１５を制御し、設定された設定項目に従って定期券を発行して（ＳＴ２２）一連の定期券発行処理を終了する。また、ＣＰＵ１０は、ユーザ別に売上データを集計し、必要に応じて上位機器例えばホストコンピュータに集計結果を通知する。
【００３８】
以下に、動作モードとして第１動作モード（初心者モード）を実行した場合の操作画面の一例について説明する。
【００３９】
まず、図５に示すように、ＣＰＵ１０は、表示部１２に第１操作画面Ｓ１を表示させる。この第１操作画面Ｓ１は、設定項目として、発駅、着駅、及び、経由地を設定するのに必要は操作画面である。この第１操作画面Ｓ１には、入力部１３を介して入力された発駅名、着駅名、発駅から着駅までの区間における経由地の候補などが表示されるとともに、設定すべき設定項目に関する説明、設定項目を設定する際の注意事項なども同時に表示される。
【００４０】
ＣＰＵ１０は、第１操作画面Ｓ１において必要なすべての設定項目の設定が完了したのに基づいて、第１操作画面Ｓ１を表示したタイミングに続いて第２操作画面Ｓ２を表示部１２に表示させる。この第２操作画面Ｓ２は、設定項目として、定期期間、通勤／通学区分を設定するのに必要な操作画面である。定期期間としては、例えば、『１ヶ月』、『３ヶ月』、『６ヶ月』などの種別がある。この第２操作画面Ｓ２には、入力部１３を介して入力された定期期間、通勤／通学区分（あるいは対応する識別コード）が表示されるとともに、対応する定期券の金額、設定すべき設定項目に関する説明、設定項目を設定する際の注意事項なども同時に表示される。
【００４１】
ＣＰＵ１０は、第２操作画面Ｓ２において必要なすべての設定項目の設定が完了したのに基づいて、第２操作画面Ｓ２を表示したタイミングに続いて第３操作画面Ｓ３を表示部１２に表示させる。この第３操作画面Ｓ３は、設定項目として、割引種別を設定するのに必要な操作画面である。割引種別としては、割引条件がない『一般』、各種割引率の『通学定期（小学生用）』、『通学定期（中学生用）』、『通学定期（高校生用）』、『通学定期（大学生用）』、『障害者用』などの種別がある。この第３操作画面Ｓ３には、入力部１３を介して入力された割引条件（あるいは対応する識別コード）が表示されるとともに、設定すべき設定項目に関する説明、設定項目を設定する際の注意事項なども同時に表示される。
【００４２】
続いて、図６に示すように、ＣＰＵ１０は、第３操作画面Ｓ３において必要なすべての設定項目の設定が完了したのに基づいて、第３操作画面Ｓ３を表示したタイミングに続いて第４操作画面Ｓ４を表示部１２に表示させる。この第４操作画面Ｓ４は、設定項目として、定期券利用者の個人情報を設定するのに必要な操作画面である。個人情報としては、定期券利用者の氏名、性別、生年月日、連絡先（電話番号や内線番号など）などがある。この第４操作画面Ｓ４には、入力部１３を介して入力された個人情報が表示されるとともに、設定すべき設定項目に関する説明、設定項目を設定する際の注意事項なども同時に表示される。
【００４３】
ＣＰＵ１０は、第４操作画面Ｓ４において必要なすべての設定項目の設定が完了したのに基づいて、第４操作画面Ｓ４を表示したタイミングに続いて第５操作画面Ｓ５を表示部１２に表示させる。この第５操作画面Ｓ５は、無線式の券媒体からなる定期券を発売すると同時に金額のチャージ処理を行うのに必要な操作画面である。この第５操作画面Ｓ５には、チャージ処理を行った場合に、券媒体の残額、チャージ金額、チャージ処理後の合計金額などが表示されるとともに、設定すべき設定項目に関する説明、設定項目を設定する際の注意事項なども同時に表示される。
【００４４】
ＣＰＵ１０は、第５操作画面Ｓ５において必要なすべての設定項目の設定が完了したのに基づいて、第５操作画面Ｓ５を表示したタイミングに続いて第６操作画面Ｓ６を表示部１２に表示させる。この第６操作画面Ｓ６は、設定された設定項目の最終確認画面である。この第６操作画面Ｓ６には、設定された全ての設定項目が表示される。
【００４５】
ＣＰＵ１０は、第６操作画面Ｓ６を表示した状態で、入力部１３を介して確認済みの指示を受け付けると、設定項目の整合性を判断し、エラーの有無を確認する。ＣＰＵ１０は、設定項目にエラーを発見しなかった場合には、定期券発行部１５を制御し、設定された設定項目に従って定期券を発行し、一連の定期券発行処理を終了する。
【００４６】
一方、ＣＰＵ１０は、設定項目にエラーを発見した場合には、図７に示すように、表示部１２にエラー内容を説明する画面を表示させ、該当する操作画面に遷移する。例えば、定期券利用者の年齢が１２歳未満であるにもかかわらず、定期券の割引区分が『通学定期（高校生用）』に設定されている場合には、ＣＰＵ１０は、券種組合せエラーと判定し、割引種別を設定する第３操作画面Ｓ３を表示部１２に再表示させる。ＣＰＵ１０は、エラーと判定された設定項目が正確に設定され、エラーが解消したと判断した場合には、定期券を発行し、一連の定期券発行処理を終了する。
【００４７】
上述したように、習熟度が比較的低いユーザが定期券発行機１を操作する場合には、単一の操作画面上において設定すべき設定項目の数を少なくし、設定に関する説明などを同時に表示させることによって操作ミスを防止するとともに、操作上、確認すべきポイントについても習熟できる。また、エラーが発生した場合には、そのエラーが解消しやすいようにユーザの操作をサポートしている。このため、低習熟度のユーザであっても、処理効率を向上することができる。
【００４８】
次に、動作モードとして第３動作モード（熟練者モード）を実行した場合の操作画面の一例について説明する。
【００４９】
図８に示すように、ＣＰＵ１０は、全ての設定項目を設定するのに必要な操作画面を表示部１２に表示させる。図７に示した操作画面では、設定項目として、発駅、着駅、経由地、定期期間、通勤／通学区分、割引種別、定期券利用者の個人情報などが設定されるとともに、チャージ処理が可能であり、第１動作モードで表示される操作画面と比較して、設定項目数が多く、また、説明書きや注意書きは極力省略されている。
【００５０】
そして、ＣＰＵ１０は、操作画面において必要なすべての設定項目の設定が完了したのに基づいて、設定項目の整合性を判断し、エラーの有無を確認する。ＣＰＵ１０は、設定項目にエラーを発見しなかった場合には、定期券発行部１５を制御し、設定された設定項目に従って定期券を発行し、一連の定期券発行処理を終了する。また、ＣＰＵ１０は、ユーザ別に売上データを集計する。
【００５１】
一方、ＣＰＵ１０は、設定項目にエラーを発見した場合には、該当する設定項目の修正を受け付ける。ＣＰＵ１０は、エラーと判定された設定項目が正確に設定され、エラーが解消したと判断した場合には、定期券を発行し、一連の定期券発行処理を終了する。
【００５２】
上述したように、習熟度が比較的高いユーザが定期券発行機１を操作する場合には、単一の操作画面上において設定すべき設定項目の数をなるべく多くし、操作画面の切換を少なくすることで、処理効率が向上し、高速のオペレーションが可能となる。
【００５３】
なお、動作モードとして第２動作モード（通常モード）を実行した場合の操作画面については省略するが、操作画面の数は第１動作モードでの操作画面数と第３動作モードでの操作画面数との間程度としている。
【００５４】
以上説明したにように、本実施形態によれば、処理効率を向上することが可能な定期券発行機及び定期券発行方法を提供することができる。
【００５５】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５６】
１…定期券発行機
１０…ＣＰＵ
１１…メモリ部  １２…表示部  １３…入力
１４…条件設定部  １５…定期券発行部
【図１】
2011002936.tif 000003
【図２】
2011002936.tif 000004
【図３】
2011002936.tif 000005
【図４】
2011002936.tif 000006
【図５】
2011002936.tif 000007
【図６】
2011002936.tif 000008
【図７】
2011002936.tif 000009
【図８】
2011002936.tif 000010